(57)【特許請求の範囲】
【請求項１】
互いに平行に配置された複数の走査電極および複数の維持電極と、前記走査電極と立体交差する方向に配置された複数のデータ電極とを有するプラズマディスプレイパネルの駆動方法であって、
１フィールドを初期化期間、書込み期間、維持期間をもつ複数のサブフィールドで構成し、
前記複数のサブフィールドのうち少なくとも１つのサブフィールドの初期化期間は第１の初期化期間と第２の初期化期間と第３の初期化期間とを有し、
前記第１の初期化期間には、前記データ電極を０（Ｖ）に保持するとともに、前記維持電極に正の電圧Ｖｑを印加した状態で、前記走査電極に、前記データ電極および維持電極との間で放電開始電圧を超えない電圧から前記維持電極との間で放電開始電圧を超える電圧に向かって緩やかに下降する下り傾斜波形電圧を印加することにより、前記走査電極を陰極とし前記維持電極を陽極とする放電を発生させ、
前記第２の初期化期間には、前記データ電極および維持電極をそれぞれ０（Ｖ）保持した状態で、前記走査電極に、前記データ電極および維持電極との間で放電開始電圧を超えない電圧から前記データ電極および維持電極との間で放電開始電圧を超える電圧に向かって緩やかに上昇する上り傾斜波形電圧を印加することにより、前記維持電極および前記データ電極を陰極とし前記走査電極を陽極とする放電を発生させ、
前記第３の初期化期間には、前記データ電極を０（Ｖ）に保持し、前記維持電極に前記正の電圧Ｖｑより低い正の電圧Ｖｅを印加した状態で、前記走査電極に、前記データ電極および維持電極との間で放電開始電圧以下となる電圧から前記データ電極および維持電極との間で放電開始電圧を超える電圧に向かって緩やかに下降する下り傾斜波形電圧を印加することにより、前記走査電極を陰極とし前記維持電極および前記データ電極を陽極とする放電を発生させ、
かつ前記第２の初期化期間に発生させる放電は、前記維持電極を陰極とする放電を開始させた後、前記データ電極を陰極とする放電を開始させるように構成したことを特徴とするプラズマディスプレイパネルの駆動方法。
【発明の詳細な説明】
【技術分野】
【０００１】
本発明はプラズマディスプレイパネルの駆動方法に関する。
【背景技術】
【０００２】
プラズマディスプレイパネル（以下、ＰＤＰあるいはパネルと略記する）は、大画面、薄型、軽量であることを特徴とする視認性に優れた表示デバイスである。ＰＤＰの放電方式としてはＡＣ型とＤＣ型とがあり、電極構造としては３電極面放電型と対向放電型とがある。しかし現在は、高精細化に適し、しかも製造の容易なことからＡＣ型かつ面放電型であるＡＣ型３電極ＰＤＰが主流となっている。
【０００３】
ＡＣ型３電極ＰＤＰは、一般に、対向配置された前面板と背面板との間に多数の放電セルを形成してなる。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向、密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としては、１フィールド期間を複数のサブフィールドに分割した上で、発光させるサブフィールドの組み合わせによって階調表示を行う、いわゆるサブフィールド法が一般的である。ここで、各サブフィールドは初期化期間、書込み期間および維持期間をもつ。
【０００５】
初期化期間では、すべての放電セルで一斉に初期化放電を行い、それ以前の個々の放電セルに対する壁電荷の履歴を消すとともに、つづく書込み動作のために必要な壁電荷を形成する。加えて、書込み放電を安定に発生させるためのプライミング（放電のための起爆剤＝励起粒子）を発生させるという働きをもつ。
【０００６】
書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。
【０００７】
つづく維持期間では、走査電極と維持電極との間に所定の回数の維持パルスを印加し、書込み放電による壁電荷形成を行った放電セルを選択的に放電させ発光させる。
【０００８】
一方、パネルを駆動する方法として、階調表現に関係しない初期化放電の発光の回数を極力減らしコントラスト比を向上するための駆動方法、いわゆる高コントラスト駆動法が提案され、実用化されている（たとえば特許文献１参照）。
【０００９】
上述の高コントラスト駆動法においては、１フィールドがそれぞれ初期化期間、書込み期間、維持期間をもつ複数のサブフィールドで構成されているが、初期化期間における初期化動作には、すべての放電セルを初期化する全セル初期化動作と、放電した放電セルのみ選択的に初期化する選択初期化動作があり、全セル初期化動作は、たとえば第１サブフィールドの初期化期間のみで行われ、他のサブフィールドでは選択初期化動作が行われる。
【００１０】
このように、複数のサブフィールドのうち大多数のサブフィールドにおける初期化動作は、維持放電を起こした放電セルに対してのみ放電を起こす選択初期化動作である。したがって、階調表示に無関係な初期化発光は１フィールドに１回のみ、すなわち第１サブフィールドの全セル初期化動作のみとなり、さらにその発光も傾斜波形電圧にともなう微弱発光であるのでコントラストの高い画像表示が可能となる。
【特許文献１】特開２０００−２４２２２４号公報
【発明の開示】
【発明が解決しようとする課題】
【００１１】
しかしながら、全セル初期化の回数を減らすことによって、発光しない放電セルのプライミングの量も減少し、初期化放電自体の安定度も低下する傾向があった。さらに、ＰＤＰは高精細化にともない放電セルの大きさが今後ますます小さくなる傾向がある。放電セルが微細化するにつれて放電確率も小さくなり、ＰＤＰ放電制御の要である初期化放電自体がさらに不安定になるおそれがあった。特に初期化動作の中でもデータ電極上に正の壁電荷を形成する放電はデータ電極側が陰極、走査電極側が陽極となる放電であるが、データ電極が陰極となる放電は不安定になりやすく、その結果、維持期間において発光すべき放電セルが発光しない、あるいは逆に、発光すべきでない放電セルが発光するといった現象が発生するおそれがあった。
【００１２】
本発明のプラズマディスプレイの駆動方法は、これらの課題に鑑みなされたものであり、初期化期間において安定した初期化放電が可能となるプラズマディスプレイパネルの駆動方法を提供することを目的とする。
【課題を解決するための手段】
【００１３】
本発明のプラズマディスプレイパネルの駆動方法は、１フィールドを初期化期間、書込み期間、維持期間をもつ複数のサブフィールドで構成し、複数のサブフィールドのうち少なくとも１つのサブフィールドの初期化期間が第１の初期化期間と第２の初期化期間と第３の初期化期間とを有し、第１の初期化期間には走査電極を陰極とし維持電極を陽極とするする放電を発生させ、第２の初期化期間には維持電極およびデータ電極を陰極とし走査電極を陽極とする放電を発生させ、第３の初期化期間には走査電極を陰極とし維持電極およびデータ電極を陽極とする放電を発生させ、第２の初期化期間に発生させる放電は、維持電極を陰極とする放電を開始させた後、データ電極を陰極とする放電を開始させることを特徴とする。
【発明の効果】
【００１４】
本発明によれば、初期化期間において安定した初期化放電が可能となるプラズマディスプレイパネルの駆動方法を提供することが可能となる。
【発明を実施するための最良の形態】
【００１５】
本発明の請求項１に記載の発明は、互いに平行に配置された複数の走査電極および複数の維持電極と、前記走査電極と立体交差する方向に配置された複数のデータ電極とを有するプラズマディスプレイパネルの駆動方法であって、１フィールドを初期化期間、書込み期間、維持期間をもつ複数のサブフィールドで構成し、前記複数のサブフィールドのうち少なくとも１つのサブフィールドの初期化期間は第１の初期化期間と第２の初期化期間と第３の初期化期間とを有し、前記第１の初期化期間には、前記データ電極を０（Ｖ）に保持するとともに、前記維持電極に正の電圧Ｖｑを印加した状態で、前記走査電極に、前記データ電極および維持電極との間で放電開始電圧を超えない電圧から前記維持電極との間で放電開始電圧を超える電圧に向かって緩やかに下降する下り傾斜波形電圧を印加することにより、前記走査電極を陰極とし前記維持電極を陽極とする放電を発生させ、前記第２の初期化期間には、前記データ電極および維持電極をそれぞれ０（Ｖ）保持した状態で、前記走査電極に、前記データ電極および維持電極との間で放電開始電圧を超えない電圧から前記データ電極および維持電極との間で放電開始電圧を超える電圧に向かって緩やかに上昇する上り傾斜波形電圧を印加することにより、前記維持電極および前記データ電極を陰極とし前記走査電極を陽極とする放電を発生させ、前記第３の初期化期間には、前記データ電極を０（Ｖ）に保持し、前記維持電極に前記正の電圧Ｖｑより低い正の電圧Ｖｅを印加した状態で、前記走査電極に、前記データ電極および維持電極との間で放電開始電圧以下となる電圧から前記データ電極および維持電極との間で放電開始電圧を超える電圧に向かって緩やかに下降する下り傾斜波形電圧を印加することにより、前記走査電極を陰極とし前記維持電極および前記データ電極を陽極とする放電を発生させ、かつ前記第２の初期化期間に発生させる放電は、前記維持電極を陰極とする放電を開始させた後、前記データ電極を陰極とする放電を開始させるように構成したことを特徴とする。
【００１８】
（実施の形態）
以下、本発明の実施の形態におけるプラズマディスプレイパネルの駆動方法について、図面を用いて説明する。
【００１９】
図１は本発明の実施の形態に用いるプラズマディスプレイパネルの構造を示す分解斜視図である。プラズマディスプレイパネル１は、対向して配置された前面板２と背面板３とを有している。前面板２は、前面ガラス基板４上に走査電極５と維持電極６とが互いに平行に対をなして複数対形成されている。そして、これらの走査電極５と維持電極６とを覆うように誘電体層７が形成され、この誘電体層７の表面を覆うように保護層８が形成されている。背面板３は、背面ガラス基板９上にデータ電極１０が互いに平行に複数形成され、このデータ電極１０を覆うように誘電体層１１が形成されている。そして、この誘電体層１１上にデータ電極１０と平行に隔壁１２が複数形成され、誘電体層１１の表面と隔壁１２の側面とに蛍光体層１３が形成されている。さらに、前面板２と背面板３とに挟まれた放電空間には、放電ガスが封入されている。
【００２０】
図２は本発明の実施の形態に用いるプラズマディスプレイパネルの電極配列図である。列方向にｍ列のデータ電極Ｄ1〜Ｄm（図１のデータ電極１０）が配列され、行方向にｎ行の走査電極ＳＣ1〜ＳＣn（図１の走査電極５）とｎ行の維持電極ＳＵ1〜ＳＵn（図１の維持電極６）とが交互に配列されている。そして、１対の走査電極ＳＣi、維持電極ＳＵi（ｉ＝１〜ｎ）と１つのデータ電極Ｄj（ｊ＝１〜ｍ）とを含む放電セル１５が放電空間内にｍ×ｎ個形成されている。
【００２１】
つぎに、プラズマディスプレイパネルを駆動するための駆動波形とそのタイミングについて説明する。
【００２２】
図３は、本発明の実施の形態におけるプラズマディスプレイパネルの駆動方法の駆動波形図である。なお本発明の実施の形態においては、１フィールド期間が初期化期間、書込み期間、維持期間を有する複数のサブフィールドから構成され、第１サブフィールドは画像表示にかかわる実質的にすべての放電セルを初期化動作させる全セル初期化期間を有するサブフィールドであり、第２サブフィールド以降のサブフィールドは維持放電を行った放電セルを選択的に初期化動作させる選択初期化期間を有するサブフィールドであるものとして説明する。図３に示すように第１サブフィールドの全セル初期化期間は第１の初期化期間と第２の初期化期間と第３の初期化期間との３つの期間に分割されている。
【００２３】
第１の初期化期間では、データ電極Ｄ1〜Ｄmを０（Ｖ）に保持し、維持電極ＳＵ1〜ＳＵnに正の電圧Ｖｑを印加する。そして、走査電極ＳＣ1〜ＳＣnには電圧Ｖi5から電圧Ｖi6に向かって緩やかに下降する下り傾斜波形電圧を印加する。ここで電圧Ｖi5は走査電極ＳＣ1〜ＳＣnと維持電極ＳＵ1〜ＳＵnおよびデータ電極Ｄ1〜Ｄmとの間の放電開始電圧を超えない電圧であり、本発明の実施の形態においては０（Ｖ）としている。また、電圧Ｖi6は走査電極ＳＣ1〜ＳＣnと維持電極ＳＵ1〜ＳＵnとの間の放電開始電圧を超える電圧である。この下り傾斜波形電圧が電圧Ｖi5から電圧Ｖi6まで下降する間に走査電極ＳＣ1〜ＳＣnと維持電極ＳＵ1〜ＳＵnとの間で弱い放電が起こり、維持電極ＳＵ1〜ＳＵn上部には負の壁電圧が蓄積される。ここで、電極上部の壁電圧とは電極を覆う誘電体層上に蓄積された壁電荷により生じる電圧を示す。このとき、維持電極ＳＵ1〜ＳＵnに印加する電圧Ｖｑを高くすると維持電極ＳＵ1〜ＳＵn上に蓄積される負の壁電圧の絶対値が大きくなる。
【００２４】
第２の初期化期間では、データ電極Ｄ1〜Ｄm、維持電極ＳＵ1〜ＳＵnをそれぞれ０（Ｖ）保持する。そして、走査電極ＳＣ1〜ＳＣnには維持電極ＳＵ1〜ＳＵnおよびデータ電極Ｄ1〜Ｄmに対して放電開始電圧を超えない電圧Ｖi1から、維持電極ＳＵ1〜ＳＵnおよびデータ電極Ｄ1〜Ｄmに対して放電開始電圧を超える電圧Ｖi2に向かって緩やかに上昇する上り傾斜波形電圧を印加する。この上り傾斜波形電圧が上昇する間に、走査電極ＳＣ1〜ＳＣnを陽極とし維持電極ＳＵ1〜ＳＵn、およびデータ電極Ｄ1〜Ｄmを陰極とする微弱な初期化放電が起こる。そして走査電極ＳＣ1〜ＳＣn上部に負の壁電圧が蓄積されるとともに、データ電極Ｄ1〜Ｄm上部および維持電極ＳＵ1〜ＳＵn上部には正の壁電圧が蓄積される。
【００２５】
このとき先ず維持電極ＳＵ1〜ＳＵn側の放電を開始させ、つぎにデータ電極Ｄ1〜Ｄm側の放電を開始させるようにそれぞれの電極に印加する電圧を設定する。本発明の実施の形態においては、第１の初期化期間における維持電極ＳＵ1〜ＳＵnへの印加電圧Ｖｑを後述する電圧Ｖｅよりも高く設定することにより上述の条件を実現している。すなわち、電圧Ｖｑを高く設定すると、第１の初期化期間において維持電極ＳＵ1〜ＳＵn上に大きな負の壁電圧が蓄積されることから、第２の初期化期間を行う時点では、第２の初期化期間における走査電極ＳＣ1〜ＳＣnと維持電極ＳＵ1〜ＳＵnとの間の電位差が走査電極ＳＣ1〜ＳＣnとデータ電極Ｄ1〜Ｄmとの間の電位差よりも大きくすることができ、これにより走査電極ＳＣ1〜ＳＣnとデータ電極Ｄ1〜Ｄmの間の放電に比べて、走査電極ＳＣ1〜ＳＣnと維持電極ＳＵ1〜ＳＵnの間の放電の開始を早めることができる。このときの放電は後述するようにプラズマディスプレイを安定に動作させるために非常に重要な放電である。
【００２６】
第３の初期化期間では、データ電極Ｄ1〜Ｄmを０（Ｖ）に保持し、維持電極ＳＵ1〜ＳＵnを正電圧Ｖｅに保つ。そして、走査電極ＳＣ1〜ＳＣnには、維持電極ＳＵ1〜ＳＵnおよびデータ電極Ｄ1〜Ｄmに対して放電開始電圧以下となる電圧Ｖi3から放電開始電圧を超える電圧Ｖi4に向かって緩やかに下降する下り傾斜波形電圧を印加する。この間に、走査電極ＳＣ1〜ＳＣnと維持電極ＳＵ1〜ＳＵn、データ電極Ｄ1〜Ｄmとの間でそれぞれ微弱な初期化放電が起こる。そして、走査電極ＳＣ1〜ＳＣn上部の負の壁電圧および維持電極ＳＵ1〜ＳＵn上部の正の壁電圧が弱められ、データ電極Ｄ1〜Ｄm上部の正の壁電圧は書込み動作に適した値に調整される。以上により画像表示にかかわる全放電セルを初期化放電させる全セル初期化動作が終了する。
【００２７】
書込み期間では、走査電極ＳＣ1〜ＳＣnを一旦Ｖｃに保持する。つぎに、１行目の走査電極ＳＣ1に走査パルス電圧Ｖａを印加する。このとき同時に、データ電極Ｄ1〜Ｄmのうち１行目に表示すべき画像信号に対応するデータ電極Ｄk（ｋは１〜ｍの整数を示す）に正の書込みパルス電圧Ｖｄを印加する。すると、書込みパルス電圧Ｖｄを印加したデータ電極Ｄkと走査電極ＳＣ1との交差部で放電が発生し、対応する放電セルＣ1,kの維持電極ＳＵ1と走査電極ＳＣ1との間の放電に進展する。そして、放電セルＣ1,kの走査電極ＳＣ1上部に正電圧が蓄積され、維持電極ＳＵ1上部に負電圧が蓄積され、１行目の書込み動作が終了する。以下同様の書込み動作をｎ行目の放電セルＣn,kに至るまで行い、書込み動作が終了する。
【００２８】
維持期間においては、走査電極ＳＣ1〜ＳＣnおよび維持電極ＳＵ1〜ＳＵnを０（Ｖ）に一旦戻す。その後、走査電極ＳＣ1〜ＳＣnに正の維持パルス電圧Ｖｓを印加する。このとき、書込み放電を起こした放電セルＣi,jにおける走査電極ＳＣi上部と維持電極ＳＵi上部との間の電圧は、書込み期間において走査電極ＳＣi上部および維持電極ＳＵi上部に蓄積された壁電圧に加えて、維持パルス電圧Ｖｓが加算されるので放電開始電圧を超え維持放電が発生する。そして、放電セルＣi,jの走査電極ＳＣi上部に負電圧が蓄積され、維持電極ＳＵi上部に正電圧が蓄積される。以降同様に、走査電極ＳＣ1〜ＳＣnと維持電極ＳＵ1〜ＳＵnとに維持パルスを交互に印加することにより、書込み放電を起こした放電セルＣi,jに対して維持パルスの回数だけ維持放電が継続して行われる。
【００２９】
ここで、初期化放電が安定する理由を説明するために、データ電極に注目して、再度、第２の初期化期間の動作について説明する。
【００３０】
第２の初期化期間における走査電極ＳＣ1〜ＳＣnとデータ電極Ｄ1〜Ｄmとの間の放電はデータ電極Ｄ1〜Ｄm側、すなわち蛍光体層（図１の蛍光体層１３）側が陰極となる。しかし蛍光体は２次電子放出係数が小さいためプライミングが不足すると放電遅れが大きくなる傾向がある。そして放電遅れが大きすぎると、走査電極ＳＣ1〜ＳＣnに印加された上り傾斜波形電圧が放電開始電圧を超えても放電が発生せず、放電開始電圧を大きく超えた時点で初めて放電が発生する。このときの放電は微弱な放電とはならず大きな電荷移動をともなう強い放電となってしまい、つづく書込み動作、維持動作が制御できなくなり、正常な画像表示ができなくなる。また、放電開始電圧を超えても放電が発生していない状態は非常に不安定であり、近隣セルや他の電極間の放電等による制御不可能な僅かなプライミングの飛来によって干渉を受け、強い放電を誘発する場合がある。このように、データ電極Ｄ1〜Ｄmが陰極となる放電は一般に不安定になりやすい。
【００３１】
しかしながら、本発明の実施の形態のプラズマディスプレイパネルの駆動方法によれば、この不安定なデータ電極Ｄ1〜Ｄmの初期化放電を安定化するために、蛍光体の２次電子放出係数の小ささを補えるだけの十分なプライミングを供給する駆動を行っている。それは、第２の初期化期間において最初に発生する放電、すなわち維持電極ＳＵ1〜ＳＵnが陰極となる初期化放電によるプライミングである。走査電極ＳＣ1〜ＳＣnあるいは維持電極ＳＵ1〜ＳＵnを覆っている保護層（図１の保護層８）はＭｇＯ薄膜であり、ＭｇＯは大きな２次電子放出係数をもち、放電遅れの小さい安定した放電を生じることが知られている。したがって第２の初期化期間における維持電極ＳＵ1〜ＳＵnを陰極とする放電はたとえプライミングが少なくても比較的安定した放電となる。そしてつづくデータ電極Ｄ1〜Ｄmの初期化放電は維持電極ＳＵ1〜ＳＵnの放電が継続している間に発生するから、プライミングが生成、供給されつづけている中での放電となり、蛍光体が陰極となる放電であるにもかかわらず安定した放電となる。ここで、第１の初期化期間の放電は第２の初期化期間に維持電極ＳＵ1〜ＳＵn側の放電をデータ電極Ｄ1〜Ｄm側の放電よりも早く開始させるためのものである。
【００３２】
図４は本発明の実施の形態におけるプラズマディスプレイパネルの駆動方法の他の駆動波形図である。このように第１の初期化放電の後、休止期間をおかずに第２の初期化放電を開始させた場合には、さらに初期化放電を安定させることができる。第１の初期化期間において発生する放電はＭｇＯ薄膜をもつ走査電極ＳＣ1〜ＳＣnを陰極とするため、たとえプライミングが少なくても比較的安定した放電となる。そしてこの放電で生じたプライミングが第２の初期化期間における維持電極ＳＵ1〜ＳＵnの初期化放電に対するプライミングとなり、この放電をさらに安定にする。そしてつづくデータ電極Ｄ1〜Ｄmの初期化放電は維持電極ＳＵ1〜ＳＵnの放電が継続している間に発生するから、上述したように安定した放電となる。
【００３３】
このように、一般に放電遅れが大きく、放電が不安定になりがちなデータ電極Ｄ1〜Ｄmの初期化放電、特に第２の初期化期間において蛍光体層側が陰極となる初期化放電に先行して維持電極ＳＵ1〜ＳＵnの初期化放電によるプライミングを発生させることにより、走査電極ＳＣ1〜ＳＣnとデータ電極Ｄ1〜Ｄmとの間に十分なプライミングを供給することができ、データ電極Ｄ1〜Ｄmの初期化放電の放電遅れを小さくし放電を安定化させることができる。そのため、つづく第３の初期化期間における壁電荷の調整も安定し、安定した書込み動作、維持動作につながり、誤放電のない良好な画像表示が可能となる。
【００３４】
なお、上述の説明では、第２の初期化期間において最初に維持電極ＳＵ1〜ＳＵn側の放電を開始させ、つぎにデータ電極Ｄ1〜Ｄm側の放電を開始させるために、第１の初期化期間に維持電極ＳＵ1〜ＳＵnに印加する電圧Ｖｑを第３の初期化期間に維持電極ＳＵ1〜ＳＵnに印加する電圧Ｖｅより高く設定した。しかしながらこれ以外にも、第２の初期化期間に発生させる放電として、維持電極ＳＵ1〜ＳＵnを陰極とする放電を開始させた後、データ電極Ｄ1〜Ｄmを陰極とする放電を開始させることができる。たとえば、第２の初期化期間において維持電極ＳＵ1〜ＳＵnに印加する電圧（本発明の実施の形態においては０（Ｖ））をさらに下げることにより、走査電極ＳＣ1〜ＳＣnと維持電極ＳＵ1〜ＳＵnとの間の電位差が大きくなり維持電極ＳＵ1〜ＳＵn側の放電開始を早めることができる。あるいは第２の初期化期間においてデータ電極Ｄ1〜Ｄmに印加する電圧（本発明の実施の形態においては０（Ｖ））を上げることによって走査電極ＳＣ1〜ＳＣnとデータ電極Ｄ1〜Ｄmとの間の電位差が小さくなりデータ電極Ｄ1〜Ｄm側の放電開始を遅らすことができる。もちろんこれらの方法のうち、任意の方法を組み合わせて駆動波形を設計してもよい。
【００３５】
また、ＡＣ型ＰＤＰの各電極は誘電体層に囲まれており放電空間と絶縁されているため、直流成分は放電そのものに何ら寄与しない。したがって、本発明の実施の形態で説明した駆動波形に直流成分を加えた波形を用いても同様の効果が得られることはいうまでもない。
【００３６】
さらに、本発明の実施の形態においては、１フィールド期間が初期化期間、書込み期間、維持期間を有する複数のサブフィールドから構成され、第１サブフィールドの初期化期間は画像表示にかかわる全放電セルを初期化動作させる全セル初期化期間を有するサブフィールドであり、第２サブフィールドは維持放電を行った放電セルを選択的に初期化する選択初期化期間をもつサブフィールドであるものとして説明した。しかし本発明は、全セル初期化期間を有するサブフィールドのみ、あるいは全セル初期化期間を有するサブフィールドと選択初期化期間を有するサブフィールドを任意に組み合わせたサブフィールド構成であっても同様に適用することができる。
【００３７】
図５は、本発明の実施の形態におけるプラズマディスプレイパネルの駆動方法を用いた駆動装置の一例の回路ブロック図である。本発明の実施の形態における駆動装置１００は、画像信号処理回路１０１、データ電極駆動回路１０２、タイミング制御回路１０３、走査電極駆動回路１０４および維持電極駆動回路１０５を有している。画像信号および同期信号は、画像信号処理回路１０１に入力される。画像信号処理回路１０１は、画像信号および同期信号に基づいて、各サブフィールドを点灯するか否かを制御するサブフィールド信号をデータ電極駆動回路１０２に出力する。また、同期信号はタイミング制御回路１０３にも入力される。タイミング制御回路１０３は同期信号に基づいて、データ電極駆動回路１０２、走査電極駆動回路１０４、維持電極駆動回路１０５にタイミング制御信号を出力する。
【００３８】
データ電極駆動回路１０２は、サブフィールド信号およびタイミング制御信号に応じて、パネルのデータ電極１０（図３のデータ電極Ｄ1〜Ｄm）に図３に示した駆動波形を印加する。走査電極駆動回路１０４はタイミング制御信号に応じてパネルの走査電極５（図３の走査電極ＳＣ1〜ＳＣn）に図３に示した駆動波形を印加し、維持電極駆動回路１０５はタイミング制御信号に応じてパネルの維持電極６（図３のＳＵ1〜ＳＵn）に図３に示した駆動波形を印加する。データ電極駆動回路１０２、走査電極駆動回路１０４、維持電極駆動回路１０５には電源回路（図示せず）から必要な電力が供給されている。
【００３９】
以上の回路ブロックを備えることによって本発明の実施の形態におけるパネルの駆動方法を用いた駆動装置を構成することができる。
【産業上の利用可能性】
【００４０】
本発明によれば、初期化期間において安定した初期化放電が可能となるプラズマディスプレイパネルの駆動方法を提供することが可能となる。
【図面の簡単な説明】
【００４１】
【図１】本発明の実施の形態に用いるプラズマディスプレイパネルの構造を示す分解斜視図
【図２】本発明の実施の形態に用いるプラズマディスプレイパネルの電極配列図
【図３】本発明の実施の形態におけるプラズマディスプレイパネルの駆動方法の駆動波形図
【図４】本発明の実施の形態におけるプラズマディスプレイパネルの駆動方法の他の駆動波形図
【図５】本発明の実施の形態におけるプラズマディスプレイパネルの駆動方法を用いた駆動装置の一例の回路ブロック図
【符号の説明】
【００４２】
１    プラズマディスプレイパネル
２    前面板
３    背面板
４    前面ガラス基板
５    走査電極
６    維持電極
７    誘電体層
８    保護層
９    背面ガラス基板
１０    データ電極
１１    誘電体層
１２    隔壁
１３    蛍光体層
１５    放電セル
１００    駆動装置
【図１】
0004639579.tif 000002
【図２】
0004639579.tif 000003
【図３】
0004639579.tif 000004
【図４】
0004639579.tif 000005
【図５】
0004639579.tif 000006